(57)【要約】【課題】可変抵抗の可変端子を中点に位置させた状態で、カラー受像管や垂直偏向コイルの特性に起因してほぼ一様に発生する横線ミスコンバーゼンスを予め補正することができる偏向ヨークを提供する。【解決手段】垂直偏向コイル３，４には、互いに極性が逆方向となるよう直列に接続されたダイオード７，８とダイオード９，１０の並列回路が並列に接続されている。ダイオード７，８接続点とダイオード９，１０の接続点との間には、可変抵抗１１と固定抵抗１２，１３の直列回路が接続されている。可変抵抗１１可変端子を中点に位置させた状態でも、固定抵抗１２，１３の抵抗値を互いに異ならせることにより、横線ミスコンバーゼンス補正することができる。【選択図】      図１
2004214052.tif 000002
【特許請求の範囲】
【請求項１】
インライン型カラー受像管に装着する偏向ヨークにおいて、
第１及び第２の端子と、
前記第１及び第２の端子間に互いに直列に接続された第１及び第２の垂直偏向コイルと、
互いに極性が逆方向となるよう直列に接続された第１及び第２のダイオードと、互いに極性が逆方向となるよう直列に接続された第３及び第４のダイオードとを有し、前記第１のダイオードと前記第３ダイオードとが互いに極性が逆方向となるよう接続され、前記第２のダイオードと前記第４ダイオードとが互いに極性が逆方向となるよう接続された並列回路と、
可変抵抗とこの可変抵抗を挟む第１及び第２の固定抵抗を有し、前記第１及び第２のダイオードの接続点と前記第３及び第４のダイオードの接続点との間に接続された直列回路とを備え、
前記第１の端子と前記第１の垂直偏向コイルとの接続点は、抵抗を介することなく、前記第１のダイオードと前記第３ダイオードとの接続点に接続され、前記第２の端子と前記第２の垂直偏向コイルとの接続点は、抵抗を介することなく、前記第２のダイオードと前記第４ダイオードとの接続点に接続され、
前記可変抵抗の可変端子は、前記第１及び第２の垂直偏向コイルの接続点に接続されていることを特徴とする偏向ヨーク。
【請求項２】
インライン型カラー受像管に装着する偏向ヨークにおいて、
第１及び第２の端子と、
前記第１及び第２の端子間に互いに直列に接続された第１及び第２の垂直偏向コイルと、
互いに極性が逆方向となるよう直列に接続された第１及び第２のダイオードとこの第１及び第２のダイオードの間に設けられた第１及び第２の固定抵抗とよりなる第１の直列回路と、互いに極性が逆方向となるよう直列に接続された第３及び第４のダイオードとこの第３及び第４のダイオードの間に設けられた第３及び第４の固定抵抗とよりなる第２の直列回路とを有し、前記第１のダイオードと前記第３ダイオードとが互いに極性が逆方向となるよう接続され、前記第２のダイオードと前記第４ダイオードとが互いに極性が逆方向となるよう接続された並列回路と、
前記第１及び第２の固定抵抗の接続点と前記第３及び第４の固定抵抗の接続点との間に接続された可変抵抗とを備え、
前記第１の端子と前記第１の垂直偏向コイルとの接続点は、抵抗を介することなく、前記第１のダイオードと前記第３ダイオードとの接続点に接続され、前記第２の端子と前記第２の垂直偏向コイルとの接続点は、抵抗を介することなく、前記第２のダイオードと前記第４ダイオードとの接続点に接続され、
前記可変抵抗の可変端子は、前記第１及び第２の垂直偏向コイルの接続点に接続されていることを特徴とする偏向ヨーク。
【請求項３】
インライン型カラー受像管に装着する偏向ヨークにおいて、
第１及び第２の端子と、
前記第１及び第２の端子間に互いに直列に接続された第１及び第２の垂直偏向コイルと、
互いに極性が逆方向となるよう直列に接続された第１及び第２のダイオードと、互いに極性が逆方向となるよう直列に接続された第３及び第４のダイオードとを有し、前記第１のダイオードと前記第３ダイオードとが互いに極性が逆方向となるよう接続され、前記第２のダイオードと前記第４ダイオードとが互いに極性が逆方向となるよう接続された並列回路と、
前記第１及び第２のダイオードの接続点と前記第３及び第４のダイオードの接続点との間に接続された可変抵抗と、
一端が前記第１及び第２の垂直偏向コイルの接続点に接続され、他端が前記可変抵抗の可変端子に接続された固定抵抗とを備え、
前記第１の端子と前記第１の垂直偏向コイルとの接続点は、抵抗を介することなく、前記第１のダイオードと前記第３ダイオードとの接続点に接続され、前記第２の端子と前記第２の垂直偏向コイルとの接続点は、抵抗を介することなく、前記第２のダイオードと前記第４ダイオードとの接続点に接続されていることを特徴とする偏向ヨーク。
【発明の詳細な説明】
【０００１】
【発明の属する技術分野】
本発明は、インライン型カラー受像管に装着して電子ビームを偏向させる偏向ヨークに係り、特に、画面上下端の横線ミスコンバーゼンスを補正することができる偏向ヨークに関する。
【０００２】
【従来の技術】
インライン型カラー受像管の赤（Ｒ），緑（Ｇ），青（Ｂ）の電子ビームの内、図７（Ａ）に示すように、画面上下端において、破線で示すＢの横線が実線で示すＲの横線よりも下にずれたり、図７（Ｂ）に示すように、画面上下端において、破線で示すＢの横線が実線で示すＲの横線よりも上にずれたりする横線ミスコンバーゼンスが知られている。
【０００３】
この図７（Ａ），（Ｂ）に示す横線ミスコンバーゼンスを補正する偏向ヨークとして、図６に示すものがある。図６に示す従来の偏向ヨークは、特開平７−２１２７７７号公報（特許文献１）に記載されている。図６において、端子１，２間には、垂直偏向コイル３，４が直列に接続されている。端子１と垂直偏向コイル３との接続点には、抵抗５の一端が接続されており、端子２と垂直偏向コイル４との接続点には、抵抗６の一端が接続されている。
【０００４】
互いに極性が逆方向となるよう直列に接続されたダイオード７，８と、互いに極性が逆方向となるよう直列に接続されたダイオード９，１０とで並列回路が形成されている。ダイオード７とダイオード９とは極性が逆方向となっており、ダイオード８とダイオード１０とは極性が逆方向となっている。ダイオード７，９の接続点には、抵抗５の他端が接続されており、ダイオード８，１０の接続点には、抵抗６の他端が接続されている。さらに、ダイオード７，８の接続点とダイオード９，１０の接続点との間には可変抵抗１１が接続されており、可変抵抗１１の可変端子（摺動子）は垂直偏向コイル３，４の接続点に接続されている。
【０００５】
このように構成される図６の偏向ヨークにおいて、可変抵抗１１の可変端子の位置をダイオード７，８側またはダイオード９，１０に移動させることにより、図７（Ａ），（Ｂ）に示す横線ミスコンバーゼンスを補正することができる。
【０００６】
【特許文献１】
特開平７−２１２７７７号公報（第５−６頁、図５）
【０００７】
【発明が解決しようとする課題】
ところで、偏向ヨークは、偏向ヨークをカラー受像管に装着してディスプレイ装置メーカに販売するＩＴＣ（Ｉｎｔｅｇｒａｔｅｄ  Ｔｕｂｅ  Ｃｏｍｐｏｎｅｎｔ）メーカに納入されたり、偏向ヨークをカラー受像管に装着し、この偏向ヨークを装着したカラー受像管を筐体に装着してディスプレイ装置とするディスプレイ装置メーカに納入されたりする。偏向ヨークをＩＴＣメーカやディスプレイ装置メーカに納入する際には、偏向ヨークを予め調整用のカラー受像管に装着してコンバーゼンス調整等の各種の調整を行った上で納入する。
【０００８】
図７（Ａ），（Ｂ）に示すような横線ミスコンバーゼンスは、偏向ヨークを装着するカラー受像管や、偏向ヨークの構成部品である垂直偏向コイル３，４の特性に起因してほぼ一様に発生するものと、個々のカラー受像管のばらつきに起因して発生するものとがある。前者のものは、ＩＴＣメーカやディスプレイ装置メーカに納入する前に、偏向ヨークメーカで予め補正（調整）しておくことが好ましい。後者のものは、個々のカラー受像管のばらつきに起因するものであるので、ＩＴＣメーカやディスプレイ装置メーカにて、偏向ヨークを個々のカラー受像管に装着した状態で補正（調整）することが必要となる。
【０００９】
本来であれば、図６に示す構成において、ＩＴＣメーカやディスプレイ装置メーカでの図７（Ａ），（Ｂ）に示す横線ミスコンバーゼンスを補正するためのコンバーゼンス調整前の状態では、可変抵抗１１の可変端子の位置を中央（中点）に設定し、垂直偏向コイル３，４にアンバランスな電流が流れないようにし、コンバーゼンス調整工程で必要に応じて可変抵抗１１を回して図７（Ａ），（Ｂ）に示す横線ミスコンバーゼンスを補正することが好ましい。
【００１０】
しかしながら、図６に示す従来の偏向ヨークにおいては、上述したカラー受像管や垂直偏向コイル３，４の特性に起因してほぼ一様に発生する横線ミスコンバーゼンスを補正するには、偏向ヨークメーカで可変抵抗１１の可変端子の位置を調整しておかなければならない。すると、偏向ヨークをＩＴＣメーカやディスプレイ装置メーカに納入する時点で、可変抵抗１１の可変端子が中点に位置せず、ＩＴＣメーカやディスプレイ装置メーカにとって好ましくない状態となってしまう。可変抵抗１１の可変端子の位置を予め移動させてしまうと、その移動させた側において、ＩＴＣメーカやディスプレイ装置メーカにおけるばらつき補正のための調整量が減ってしまうこととなる。
【００１１】
このように、図６に示す従来の偏向ヨークは、可変抵抗１１の可変端子を中点に位置させた状態で図７（Ａ），（Ｂ）に示す横線ミスコンバーゼンスを補正することができないという第１の問題点があった。また、図６に示す従来の偏向ヨークは、抵抗等の部品点数が多いという第２の問題点があった。
【００１２】
本発明はこのような問題点に鑑みなされたものであり、可変抵抗の可変端子を中点に位置させた状態で、カラー受像管や垂直偏向コイルの特性に起因してほぼ一様に発生する横線ミスコンバーゼンスを予め補正することができる偏向ヨークを提供することを第１の目的とする。また、より少ない部品点数で横線ミスコンバーゼンスを補正することができる偏向ヨークを提供することを第２の目的とする。
【００１３】
【課題を解決するための手段】
本発明は、上述した従来の技術の課題を解決するため、以下の（ａ）〜（ｃ）の偏向ヨークを提供する。
（ａ）インライン型カラー受像管に装着する偏向ヨークにおいて、第１及び第２の端子（１，２）と、前記第１及び第２の端子間に互いに直列に接続された第１及び第２の垂直偏向コイル（３，４）と、互いに極性が逆方向となるよう直列に接続された第１及び第２のダイオード（７，８）と、互いに極性が逆方向となるよう直列に接続された第３及び第４のダイオード（９，１０）とを有し、前記第１のダイオードと前記第３ダイオードとが互いに極性が逆方向となるよう接続され、前記第２のダイオードと前記第４ダイオードとが互いに極性が逆方向となるよう接続された並列回路と、可変抵抗（１１）とこの可変抵抗を挟む第１及び第２の固定抵抗（１２，１３）を有し、前記第１及び第２のダイオードの接続点と前記第３及び第４のダイオードの接続点との間に接続された直列回路とを備え、前記第１の端子と前記第１の垂直偏向コイルとの接続点は、抵抗を介することなく、前記第１のダイオードと前記第３ダイオードとの接続点に接続され、前記第２の端子と前記第２の垂直偏向コイルとの接続点は、抵抗を介することなく、前記第２のダイオードと前記第４ダイオードとの接続点に接続され、前記可変抵抗の可変端子は、前記第１及び第２の垂直偏向コイルの接続点に接続されていることを特徴とする偏向ヨーク。
（ｂ）インライン型カラー受像管に装着する偏向ヨークにおいて、第１及び第２の端子（１，２）と、前記第１及び第２の端子間に互いに直列に接続された第１及び第２の垂直偏向コイル（３，４）と、互いに極性が逆方向となるよう直列に接続された第１及び第２のダイオード（７，８）とこの第１及び第２のダイオードの間に設けられた第１及び第２の固定抵抗（１４，１５）とよりなる第１の直列回路と、互いに極性が逆方向となるよう直列に接続された第３及び第４のダイオード（９，１０）とこの第３及び第４のダイオードの間に設けられた第３及び第４の固定抵抗（１６，１７）とよりなる第２の直列回路とを有し、前記第１のダイオードと前記第３ダイオードとが互いに極性が逆方向となるよう接続され、前記第２のダイオードと前記第４ダイオードとが互いに極性が逆方向となるよう接続された並列回路と、前記第１及び第２の固定抵抗の接続点と前記第３及び第４の固定抵抗の接続点との間に接続された可変抵抗（１１）とを備え、前記第１の端子と前記第１の垂直偏向コイルとの接続点は、抵抗を介することなく、前記第１のダイオードと前記第３ダイオードとの接続点に接続され、前記第２の端子と前記第２の垂直偏向コイルとの接続点は、抵抗を介することなく、前記第２のダイオードと前記第４ダイオードとの接続点に接続され、前記可変抵抗の可変端子は、前記第１及び第２の垂直偏向コイルの接続点に接続されていることを特徴とする偏向ヨーク。
（ｃ）インライン型カラー受像管に装着する偏向ヨークにおいて、第１及び第２の端子（１，２）と、前記第１及び第２の端子間に互いに直列に接続された第１及び第２の垂直偏向コイル（３，４）と、互いに極性が逆方向となるよう直列に接続された第１及び第２のダイオード（７，８）と、互いに極性が逆方向となるよう直列に接続された第３及び第４のダイオード（９，１０）とを有し、前記第１のダイオードと前記第３ダイオードとが互いに極性が逆方向となるよう接続され、前記第２のダイオードと前記第４ダイオードとが互いに極性が逆方向となるよう接続された並列回路と、前記第１及び第２のダイオードの接続点と前記第３及び第４のダイオードの接続点との間に接続された可変抵抗（１１）と、一端が前記第１及び第２の垂直偏向コイルの接続点に接続され、他端が前記可変抵抗の可変端子に接続された固定抵抗（１８）とを備え、前記第１の端子と前記第１の垂直偏向コイルとの接続点は、抵抗を介することなく、前記第１のダイオードと前記第３ダイオードとの接続点に接続され、前記第２の端子と前記第２の垂直偏向コイルとの接続点は、抵抗を介することなく、前記第２のダイオードと前記第４ダイオードとの接続点に接続されていることを特徴とする偏向ヨーク。
【００１４】
【発明の実施の形態】
以下、本発明の偏向ヨークについて、添付図面を参照して説明する。図１は本発明の偏向ヨークの第１実施形態を示す回路図、図２は本発明の偏向ヨークによる作用を説明するための磁界と偏向力との関係を示す図、図３は本発明の偏向ヨークによる画面上での補正作用を説明するための図、図４は本発明の偏向ヨークの第２実施形態を示す回路図、図５は本発明の偏向ヨークの第３実施形態を示す回路図である。なお、図１，図４，図５において、図６と同一部分には同一符号が付してある。
【００１５】
＜第１実施形態＞
図１に示す第１実施形態は、上述した第１の問題点を解決し、第１の目的を達成するものである。図１において、端子１，２間には、垂直偏向コイル３，４が直列に接続されている。垂直偏向コイル３，４は、インライン型カラー受像管のネック部を挟むよう左右に配置される。互いに極性が逆方向となるよう直列に接続されたダイオード７，８と、互いに極性が逆方向となるよう直列に接続されたダイオード９，１０とで並列回路が形成されている。ダイオード７とダイオード９とは極性が逆方向となっており、ダイオード８とダイオード１０とは極性が逆方向となっている。
【００１６】
端子１と垂直偏向コイル３との接続点は、図６の従来例と異なり、抵抗を介することなく、ダイオード７，９の接続点に接続されており、端子２と垂直偏向コイル４との接続点は、図６の従来例と異なり、抵抗を介することなく、ダイオード８，１０の接続点に接続されている。さらに、ダイオード７，８の接続点とダイオード９，１０の接続点との間には、可変抵抗１１と、この可変抵抗１１を挟むよう、固定の抵抗１２，１３が直列に接続されている。可変抵抗１１の可変端子（摺動子）は垂直偏向コイル３，４の接続点に接続されている。
【００１７】
この図１に示す構成においては、可変抵抗１１の可変端子を中点に位置させた状態でも、抵抗１２，１３の抵抗値が互いに異なるよう、抵抗１２，１３それぞれの抵抗値を適宜に設定すると、垂直偏向コイル３，４にアンバランスな電流が流れる。これにより、可変抵抗１１の可変端子を中点に位置させた状態でも、図７（Ａ），（Ｂ）に示す横線ミスコンバーゼンスを補正することが可能となる。
【００１８】
ここで、抵抗１２，１３の抵抗値を抵抗１２＜抵抗１３と設定した場合について考える。カラー受像管の画面上側に偏向するとき、垂直偏向電流が図１の実線矢印方向に流れるとする。垂直偏向電流が実線矢印方向に流れると、ダイオード９，８がオン、ダイオード７，１０がオフとなる。
【００１９】
このとき、垂直偏向コイル３に並列接続されている抵抗値は、抵抗１３＋可変抵抗１１の可変端子よりも抵抗１３側となる。可変抵抗１１の可変端子は中点に位置しているので、抵抗１３＋（可変抵抗１１）／２となる。垂直偏向コイル４に並列接続されている抵抗値は、抵抗１２＋可変抵抗１１の可変端子よりも抵抗１２側、即ち、抵抗１２＋（可変抵抗１１）／２となる。抵抗１２＜抵抗１３であるので、垂直偏向コイル３，４に流れる電流を比較すると、垂直偏向コイル３＞垂直偏向コイル４となる。
【００２０】
この状態において、垂直偏向コイル３から発生する磁界をφ３、垂直偏向コイル４から発生する磁界をφ４とすると、垂直偏向磁界は、φ３＞φ４となる。この結果、図２（Ａ）に示すように、電子ビームＲ，Ｂに加わる偏向力ＦＲ，ＦＢは、ＦＲ＜ＦＢとなる。電子ビームＢに加わる偏向力ＦＢが電子ビームＲに加わる偏向力ＦＲよりも大きくなるため、図３（Ａ）に示すように、画面上端において、破線で示すＢの横線が実線で示すＲの横線よりも上側に偏向されることとなる。従って、図７（Ａ）に示す、画面上端において破線で示すＢの横線が実線で示すＲの横線よりも下にずれる横線ミスコンバーゼンスが補正される。
【００２１】
一方、カラー受像管の画面下側に偏向するとき、垂直偏向電流が図１の破線矢印方向に流れるとする。垂直偏向電流が破線矢印方向に流れると、ダイオード１０，７がオン、ダイオード８，９がオフとなる。
【００２２】
このとき、垂直偏向コイル３に並列接続されている抵抗値は、抵抗１２＋可変抵抗１１の可変端子よりも抵抗１２側、即ち、抵抗１２＋（可変抵抗１１）／２となる。垂直偏向コイル４に並列接続されている抵抗値は、抵抗１３＋可変抵抗１１の可変端子よりも抵抗１３側、即ち、抵抗１３＋（可変抵抗１１）／２となる。抵抗１２＜抵抗１３であるので、垂直偏向コイル３，４に流れる電流を比較すると、垂直偏向コイル３＜垂直偏向コイル４となる。
【００２３】
この状態において、垂直偏向磁界は、φ３＜φ４となる。この結果、図２（Ｂ）に示すように、電子ビームＲ，Ｂに加わる偏向力ＦＲ，ＦＢは、ＦＢ＜ＦＲとなる。電子ビームＲに加わる偏向力ＦＲが電子ビームＢに加わる偏向力ＦＢよりも大きくなるため、図３（Ｂ）に示すように、画面下端において、実線で示すＲの横線が破線で示すＢの横線よりも下側に偏向されることとなる。従って、図７（Ａ）に示す、画面下端において破線で示すＢの横線が実線で示すＲの横線よりも下にずれる横線ミスコンバーゼンスが補正される。
【００２４】
特に図示しないが、図１に示す構成において、抵抗１２，１３の抵抗値を抵抗１２＞抵抗１３と設定した場合には、以上の抵抗１２＜抵抗１３と設定した場合とは逆となり、図７（Ｂ）に示す横線ミスコンバーゼンスが補正されることとなる。
【００２５】
以上のように、図１に示す第１実施形態の偏向ヨークは、可変抵抗１１の可変端子を中点に位置させた状態で、カラー受像管や垂直偏向コイル３，４の特性に起因してほぼ一様に発生する横線ミスコンバーゼンスを予め補正することができる。よって、ＩＴＣメーカやディスプレイ装置メーカは、それぞれの偏向ヨークを個々のカラー受像管に装着した状態で、可変抵抗１１を調整することにより、個々のカラー受像管のばらつきに起因する横線ミスコンバーゼンスを補正すればよい。
【００２６】
なお、図６に示す従来例において、可変抵抗１１の可変端子を中点に位置させた状態で、抵抗５，６の抵抗値を異ならせた場合には、図８（Ａ），（Ｂ）に示すような、画面上下端において、破線で示すＢの横線が実線で示すＲの横線よりも内側（上下方向の中央側）にずれるか、外側（上下端部側）にずれる横線ミスコンバーゼンスが補正されるのみである。図６に示す従来例では、可変抵抗１１の可変端子を中点に位置させた状態で、図７（Ａ），（Ｂ）に示す横線ミスコンバーゼンスを補正することはできない。
【００２７】
＜第２実施形態＞
図４に示す第２実施形態も、上述した第１の問題点を解決し、第１の目的を達成するものである。図４において、端子１，２間には、垂直偏向コイル３，４が直列に接続されている。垂直偏向コイル３，４は、インライン型カラー受像管のネック部を挟むよう左右に配置される。ダイオード７，８とダイオード７，８の間に設けられた固定の抵抗１４，１５とよりなる直列回路と、ダイオード９，１０とダイオード９，１０の間に設けられた固定の抵抗１６，１７とよりなる直列回路と並列回路が形成されている。
【００２８】
ダイオード７，８は、互いに極性が逆方向となるよう直列に接続されており、ダイオード９，１０も、互いに極性が逆方向となるよう直列に接続されている。
ダイオード７とダイオード９とは極性が逆方向となっており、ダイオード８とダイオード１０とは極性が逆方向となっている。
【００２９】
端子１と垂直偏向コイル３との接続点は、図６の従来例と異なり、抵抗を介することなく、ダイオード７，９の接続点に接続されており、端子２と垂直偏向コイル４との接続点は、図６の従来例と異なり、抵抗を介することなく、ダイオード８，１０の接続点に接続されている。さらに、抵抗１４，１５の接続点と抵抗１６，１７の接続点との間には、可変抵抗１１が接続されている。可変抵抗１１の可変端子（摺動子）は垂直偏向コイル３，４の接続点に接続されている。
【００３０】
この図４に示す構成においても、可変抵抗１１の可変端子を中点に位置させた状態で、抵抗１４と抵抗１７の抵抗値が互いに異なるよう、また、抵抗１５と抵抗１６の抵抗値が互いに異なるよう、抵抗１４〜１７それぞれの抵抗値を適宜に設定すると、垂直偏向コイル３，４にアンバランスな電流が流れる。これにより、第１実施形態と同様、可変抵抗１１の可変端子を中点に位置させた状態でも、図７（Ａ），（Ｂ）に示す横線ミスコンバーゼンスを補正することが可能となる。
【００３１】
＜第３実施形態＞
図５に示す第３実施形態は、上述した第２の問題点を解決し、第２の目的を達成するものである。図５において、端子１，２間には、垂直偏向コイル３，４が直列に接続されている。垂直偏向コイル３，４は、インライン型カラー受像管のネック部を挟むよう左右に配置される。互いに極性が逆方向となるよう直列に接続されたダイオード７，８と、互いに極性が逆方向となるよう直列に接続されたダイオード９，１０とで並列回路が形成されている。ダイオード７とダイオード９とは極性が逆方向となっており、ダイオード８とダイオード１０とは極性が逆方向となっている。
【００３２】
端子１と垂直偏向コイル３との接続点は、図６の従来例と異なり、抵抗を介することなく、ダイオード７，９の接続点に接続されており、端子２と垂直偏向コイル４との接続点は、図６の従来例と異なり、抵抗を介することなく、ダイオード８，１０の接続点に接続されている。さらに、ダイオード７，８の接続点とダイオード９，１０の接続点との間には、可変抵抗１１が接続されている。垂直偏向コイル３，４の接続点には、固定の抵抗１８の一端が接続されており、抵抗１８の他端は、可変抵抗１１の可変端子（摺動子）に接続されている。
【００３３】
この第３実施形態の偏向ヨークは、可変抵抗１１の可変端子を中点に位置させた状態で図７（Ａ），（Ｂ）に示す横線ミスコンバーゼンスを補正することはできないが、図６の従来例と同様、可変抵抗１１の可変端子の位置をダイオード７，８側またはダイオード９，１０に移動させることにより、図７（Ａ），（Ｂ）に示す横線ミスコンバーゼンスを補正することができる。第３実施形態の偏向ヨークは、図６の従来例と比較して、抵抗を１つ減らすことができ、より少ない部品点数とすることができる。よって、省スペース及びコストダウンを図ることができる。
【００３４】
【発明の効果】
以上詳細に説明したように、本発明の偏向ヨークは、第１及び第２実施形態の構成により、可変抵抗の可変端子を中点に位置させた状態で、カラー受像管や垂直偏向コイルの特性に起因してほぼ一様に発生する横線ミスコンバーゼンスを予め補正することができる。また、第３実施形態の構成により、より少ない部品点数で横線ミスコンバーゼンスを補正することができる。
【図面の簡単な説明】
【図１】本発明の偏向ヨークの第１実施形態を示す回路図である。
【図２】本発明の偏向ヨークによる作用を説明するための磁界と偏向力との関係を示す図である。
【図３】本発明の偏向ヨークによる画面上での補正作用を説明するための図である。
【図４】本発明の偏向ヨークの第２実施形態を示す回路図である。
【図５】本発明の偏向ヨークの第３実施形態を示す回路図である。
【図６】従来例を示す回路図である。
【図７】横線ミスコンバーゼンスパターンを示す図である。
【図８】他の横線ミスコンバーゼンスパターンを示す図である。
【符号の説明】
１，２  端子
３，４  垂直偏向コイル
７〜１０  ダイオード
１１  可変抵抗
１２〜１８  固定抵抗
【図１】
2004214052.tif 000003
【図２】
2004214052.tif 000004
【図３】
2004214052.tif 000005
【図４】
2004214052.tif 000006
【図５】
2004214052.tif 000007
【図６】
2004214052.tif 000008
【図７】
2004214052.tif 000009
【図８】
2004214052.tif 000010